(57)【要約】【課題】  プロジェクターの設置状態によらずに正確なレンズシフト制御を行うことが可能なプロジェクター等を提供すること。【解決手段】  プロジェクター１００が、モーターを駆動することによって投写レンズの位置を移動させるレンズシフト部１９２と、モーターの駆動に対する投写レンズの移動に関する情報を示す移動情報を生成する情報生成部１２０と、移動情報に基づき、投写レンズの重力方向に対する移動方向を判定する判定部１３０と、移動方向に応じてモーターの駆動を調整する調整部１４０を含んで構成される。【選択図】  図２
2011145583.tif 000002
【特許請求の範囲】
【請求項１】
モーターを駆動することによって投写レンズの位置を移動させるレンズシフト部と、
前記モーターの駆動に対する前記投写レンズの移動に関する情報を示す移動情報を生成する情報生成部と、
前記移動情報に基づき、前記投写レンズの移動方向が重力方向か、重力方向に対して逆の方向である反重力方向かを判定する判定部と、
前記移動方向に応じて前記モーターの駆動を調整する調整部と、
を含むプロジェクター。
【請求項２】
請求項１に記載のプロジェクターにおいて、
前記情報生成部は、
前記投写レンズの現在位置を検出する検出部と、
単位時間当りの前記現在位置の変化に基づき、前記投写レンズの移動速度を示す前記移動情報を生成する移動情報生成部と、
を含む、
プロジェクター。
【請求項３】
請求項１に記載のプロジェクターにおいて、
前記情報生成部は、
前記投写レンズの現在位置を検出する検出部と、
少なくとも１単位の駆動操作に対する前記現在位置の変化に基づき、前記駆動操作に対する前記投写レンズの移動量を示す前記移動情報を生成する移動情報生成部と、
を含む、
プロジェクター。
【請求項４】
請求項１〜３のいずれかに記載のプロジェクターにおいて、
設定に応じた前記投写レンズの目標位置を示すレンズ位置データを記憶する記憶部を含み、
前記調整部は、前記目標位置に前記投写レンズが移動される際の駆動を終了するタイミングおよび当該駆動におけるブレーキ制御を行うタイミングの少なくとも一方を、前記移動方向に応じて調整する、
プロジェクター。
【請求項５】
請求項４に記載のプロジェクターにおいて、
前記調整部は、前記投写レンズが重力方向に移動される場合は、前記投写レンズが反重力方向に移動される場合と比べて、前記タイミングを相対的に早くする、
プロジェクター。
【請求項６】
モーターを駆動することによって投写レンズの位置を移動させるレンズシフト部を含むプロジェクターにおける制御方法であって、
前記プロジェクターは、
前記モーターの駆動に対する前記投写レンズの移動に関する情報を示す移動情報を生成し、
前記移動情報に基づき、前記投写レンズの移動方向が重力方向か、重力方向に対して逆の方向である反重力方向かを判定し、
前記移動方向に応じて前記モーターの駆動を調整する、
制御方法。
【発明の詳細な説明】
【技術分野】
【０００１】
本発明は、プロジェクターおよび制御方法に関する。
【背景技術】
【０００２】
例えば、特開２００４−３１７９８８号公報では、鏡筒の移動速度を一致させる目的で、鏡筒の位置を検知し、当該位置に応じて鏡筒の移動用のモーターを駆動させるとともに、鏡筒を上方に移動させる場合と比べて下方に移動させる場合は相対的にモーターを減速する制御を行うことが記載されている。これは、プロジェクター等が床置きされた状態では、鏡筒を上方に移動させる場合と比べて下方に移動させる場合の負荷が小さいからである。
【先行技術文献】
【特許文献】
【０００３】
【特許文献１】特開２００４−３１７９８８号公報
【発明の概要】
【発明が解決しようとする課題】
【０００４】
しかし、プロジェクターの場合、床置き設置状態だけでなく、天吊り設置状態、すなわち、上下が逆になった状態で使用される場合もある。このため、プロジェクターのレンズシフト部を適切に制御するためには、レンズシフト部の設置方向を把握する必要がある。
【０００５】
また、投写レンズを目標位置に正確に移動させるためには、プロジェクターは、投写レンズの移動時の負荷に応じて適切にレンズシフト部を制御する必要がある。投写レンズは比較的重いものであるため、例えば、レンズシフト部が投写レンズを反重力方向に移動させる場合、重力方向に移動させる場合と比べて移動時の負荷は大きくなる。特に、モーターを駆動することによって投写レンズの位置を移動させるレンズシフト部は、投写レンズの重量の影響を受けやすく、同じ駆動量であっても投写レンズの移動方向によって移動量が異なることがある。
【０００６】
本発明にかかるいくつかの態様は、上記課題を解決することにより、プロジェクターの設置状態によらずに正確なレンズシフト制御を行うことが可能なプロジェクターおよび制御方法を提供するものである。
【課題を解決するための手段】
【０００７】
本発明の態様の１つであるプロジェクターは、モーターを駆動することによって投写レンズの位置を移動させるレンズシフト部と、前記モーターの駆動に対する前記投写レンズの移動に関する情報を示す移動情報を生成する情報生成部と、前記移動情報に基づき、前記投写レンズの移動方向が重力方向か、重力方向に対して逆の方向である反重力方向かを判定する判定部と、前記移動方向に応じて前記モーターの駆動を調整する調整部と、を含むことを特徴とする。
【０００８】
また、本発明の態様の１つである制御方法は、モーターを駆動することによって投写レンズの位置を移動させるレンズシフト部を含むプロジェクターにおける制御方法であって、前記プロジェクターは、前記モーターの駆動に対する前記投写レンズの移動に関する情報を示す移動情報を生成し、前記移動情報に基づき、前記投写レンズの移動方向が重力方向か、重力方向に対して逆の方向である反重力方向かを判定し、前記移動方向に応じて前記モーターの駆動を調整することを特徴とする。
【０００９】
本発明によれば、プロジェクターは、移動情報を用いることにより、投写レンズが重力方向に移動しているかどうかを判定することができるため、投写レンズの移動方向に応じてレンズシフト部の駆動を適切に調整することができる。これにより、プロジェクターは、プロジェクターの設置状態によらずに正確なレンズシフト制御を行うことができる。
【００１０】
また、前記情報生成部は、前記投写レンズの現在位置を検出する検出部と、単位時間当りの前記現在位置の変化に基づき、前記投写レンズの移動速度を示す前記移動情報を生成する移動情報生成部と、を含んでもよい。
【００１１】
これによれば、プロジェクターは、投写レンズの移動速度を検出することにより、投写レンズが重力方向に移動しているかどうかを判定することができるため、投写レンズの移動方向に応じてレンズシフト部の駆動を適切に調整することができる。
【００１２】
また、前記情報生成部は、前記レンズの現在位置を検出する検出部と、少なくとも１単位の駆動操作に対する前記現在位置の変化に基づき、前記駆動操作に対する前記投写レンズの移動量を示す前記移動情報を生成する移動情報生成部と、を含んでもよい。
【００１３】
これによれば、プロジェクターは、投写レンズの移動量を検出することにより、投写レンズが重力方向に移動しているかどうかを判定することができるため、投写レンズの移動方向に応じてレンズシフト部の駆動を適切に調整することができる。
【００１４】
また、前記プロジェクターは、設定に応じた前記投写レンズの目標位置を示すレンズ位置データを記憶する記憶部を含み、前記調整部は、前記目標位置に前記投写レンズが移動される際の駆動を終了するタイミングおよび当該駆動におけるブレーキ制御を行うタイミングの少なくとも一方を、前記移動方向に応じて調整してもよい。
【００１５】
これによれば、プロジェクターは、目標位置に投写レンズが移動される際の駆動を終了するタイミング等を投写レンズの移動方向に応じて調整することにより、プロジェクターの設置状態によらずに正確なレンズシフト制御を行うことができる。
【００１６】
また、前記調整部は、前記投写レンズが重力方向に移動される場合は前記投写レンズが反重力方向に移動される場合と比べて前記タイミングを相対的に早くしてもよい。
【００１７】
これによれば、プロジェクターは、投写レンズが重力方向に移動される場合は、投写レンズが反重力方向に移動される場合と比べて、上記タイミングを相対的に早くすることにより、プロジェクターの設置状態によらずに正確なレンズシフト制御を行うことができる。
【図面の簡単な説明】
【００１８】
【図１】図１（Ａ）は、プロジェクターの床置き設置状態を示す図であり、図１（Ｂ）は、プロジェクターの天吊り設置状態を示す図である。
【図２】第１の実施例におけるプロジェクターの機能ブロック図である。
【図３】第１の実施例におけるレンズシフト制御手順を示すフローチャートである。
【図４】第２の実施例におけるプロジェクターの機能ブロック図である。
【図５】第２の実施例におけるレンズシフト制御手順を示すフローチャートである。
【発明を実施するための形態】
【００１９】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２０】
（第１の実施例）
図１（Ａ）は、プロジェクター１００の床置き設置状態を示す図であり、図１（Ｂ）は、プロジェクター１００の天吊り設置状態を示す図である。図１（Ａ）に示すように、通常の使用状態である床置き設置状態では、プロジェクター１００の投写レンズから見た場合の下方向は重力方向と一致している。これに対し、図１（Ｂ）に示すように、天吊り設置状態では、プロジェクター１００の投写レンズから見た場合の下方向は重力方向と一致していない。
【００２１】
このため、上下方向に基づくレンズシフトを行う従来のプロジェクターは、正確なレンズシフト制御を行うことは困難である。これに対し、本実施例のプロジェクター１００は、投写レンズの移動情報に基づいて重力方向に対する投写レンズの移動方向を判定し、当該移動方向に応じてレンズシフト制御を行う機能を有している。
【００２２】
また、画像のアスペクト比とスクリーンの縦横比の関係等に応じてユーザーが投写レンズのズーム状態、フォーカス状態、レンズシフト状態等の設定データをプロジェクター１００に記憶しておき、プロジェクター１００が、画像情報やユーザーの指示に応じて設定データを読み出して投写レンズの位置等を調整する場合がある。
【００２３】
なお、例えば、ズーム調整が行われた場合、画像の中心位置と投写レンズの中心位置がずれてしまうため、画像の中心位置と投写レンズの中心位置を一致させるためには、プロジェクター１００は、レンズシフトを行う必要があり、設定に応じて投写レンズの位置も記憶する必要がある。
【００２４】
本実施例のプロジェクター１００は、設定ごとの投写レンズの位置を記憶しておき、所定の状況（例えば、投写モードの変更等）で当該位置に応じてレンズシフトを行う機能を有している。
【００２５】
次に、上述した機能を有するプロジェクター１００の機能ブロックについて説明する。図２は、第１の実施例におけるプロジェクター１００の機能ブロック図である。
【００２６】
プロジェクター１００は、リモコン（リモートコントローラー）またはプロジェクター１００本体の操作ボタンからの指示情報を受け付ける受付部１１０と、ＰＣ（Personal Computer）等から画像情報が入力される画像入力部１６０と、当該画像情報に対して明るさ補正等を行う画像処理部１７０と、内部のモーターを駆動することによって投写レンズを移動させるレンズシフト部１９２を有し、画像処理部１７０からの画像情報に基づき、画像を投写する投写部１９０を含んで構成されている。なお、投写レンズは、１枚のレンズであってもよいし、複数のレンズで構成されるレンズユニットであってもよい。
【００２７】
また、プロジェクター１００は、情報生成部１２０と、種々の判定を行う判定部１３０と、レンズシフト部１９２による投写レンズの駆動を調整する調整部１４０と、レンズ位置データ１５２等を記憶する記憶部１５０を含んで構成されている。また、情報生成部１２０は、投写レンズの現在位置を検出する検出部１２２と、単位時間当りの当該現在位置の変化に基づき、投写レンズの移動速度を示す移動情報を生成する移動情報生成部１２４を含んで構成されている。
【００２８】
なお、プロジェクター１００は、以下のハードウェアを用いてこれらの各部として機能してもよい。例えば、プロジェクター１００は、受付部１１０は受光ユニット等、情報生成部１２０はリニアセンサー、ＣＰＵ等、判定部１３０、調整部１４０はＣＰＵ等、記憶部１５０はＲＡＭ等、画像入力部１６０は画像入力端子等、画像処理部１７０は画像処理回路等、投写部１９０はランプ、液晶パネル、液晶駆動回路、投写レンズ等を用いてもよい。また、レンズシフト部１９２のモーターは、例えば、ＤＣモーター等である。
【００２９】
次に、プロジェクター１００におけるレンズシフト制御手順について説明する。図３は、第１の実施例におけるレンズシフト制御手順を示すフローチャートである。なお、本実施例では、画像モード等の設定ごとにレンズ位置を示すレンズ位置データ１５２が記憶され、画像モードの選択時等にレンズ位置データ１５２に応じて投写レンズの位置の調整（レンズシフト）が行われるものとする。
【００３０】
投写レンズの位置を調整する場合、検出部１２２は、投写レンズの現在位置を検出し、調整部１４０は、設定に応じた目標位置を示すレンズ位置データ１５２に基づき、現在位置から目標位置へ向け、レンズシフト部１９２に投写レンズの移動を開始させる（ステップＳ１）。
【００３１】
移動情報生成部１２４は、検出部１２２によって検出される投写レンズの現在位置の単位時間（例えば、０．５秒、１秒等）当りの変化に基づき、投写レンズの移動速度を示す移動情報を生成する（ステップＳ２）。
【００３２】
判定部１３０は、当該移動情報に基づき、移動速度が所定値未満かどうかを判定する（ステップＳ３）。なお、この所定値は、例えば、実験等によって決定される投写レンズの移動方向が重力方向であるか反重力方向（重力方向の逆方向）であるかを区分する値等である。
【００３３】
移動速度が所定値未満、すなわち、移動速度が遅い場合、判定部１３０は、投写レンズの移動方向が反重力方向であると決定する（ステップＳ４）。
【００３４】
投写レンズの移動方向が反重力方向である場合、調整部１４０は、投写レンズの最初の現在位置から目標位置までの距離に応じた所定タイミングで投写レンズの駆動を終了（例えば、電圧の印加の停止等）するようにレンズシフト部１９２を制御する（ステップＳ５）。
【００３５】
一方、移動速度が所定値以上、すなわち、移動速度が速い場合、判定部１３０は、投写レンズの移動方向が重力方向であると決定する（ステップＳ６）。
【００３６】
投写レンズの移動方向が重力方向である場合、調整部１４０は、投写レンズの最初の現在位置から目標位置までの距離に応じた所定タイミングよりも早いタイミングで投写レンズの駆動を終了するようにレンズシフト部１９２を制御する（ステップＳ７）。これは、投写レンズの駆動を終了してからの投写レンズの実際の移動距離が、移動方向が重力方向の場合、反重力方向の場合と比べて長いからである。
【００３７】
以上のように、本実施例によれば、プロジェクター１００は、移動情報を用いることにより、投写レンズが重力方向に移動しているかどうかを判定することができるため、投写レンズの移動方向に応じてレンズシフト部１９２の駆動を適切に調整することができる。これにより、プロジェクター１００は、プロジェクター１００の設置状態によらずに正確なレンズシフト制御を行うことができる。
【００３８】
また、本実施例によれば、プロジェクター１００は、投写レンズの移動速度を検出することにより、投写レンズが重力方向に移動しているかどうかを判定することができるため、投写レンズの移動方向に応じてレンズシフト部１９２の駆動を適切に調整することができる。
【００３９】
また、本実施例によれば、プロジェクター１００は、投写レンズが重力方向に移動される場合は投写レンズが反重力方向に移動される場合と比べて駆動終了のタイミングを相対的に早くすることにより、プロジェクター１００の設置状態によらずに正確なレンズシフト制御を行うことができる。さらに、本実施例によれば、プロジェクター１００は、特殊な部材を用いることなく、簡易な構成でレンズシフト部１９２の制御を行うことができる。
【００４０】
（第２の実施例）
第１の実施例では、プロジェクター１００は、投写レンズの移動速度に基づいて投写レンズの移動方向を判定したが、投写レンズの移動量に基づいて投写レンズの移動方向を判定してもよい。また、第１の実施例では、プロジェクター１００は、移動速度を所定値と比較することによって投写レンズの移動方向を判定したが、本来の移動方向における移動量と本来の移動方向とは逆の方向に移動したときの移動量を比較することによって投写レンズの移動方向を判定してもよい。さらに、プロジェクター１００は、レンズシフト部１９２のブレーキ制御を行ってもよい。
【００４１】
次に、投写レンズの移動量に基づいて投写レンズの移動方向を判定し、レンズシフト部１９２のブレーキ制御を行う機能を有するプロジェクターについて説明する。図４は、第２の実施例におけるプロジェクター１０１の機能ブロック図である。
【００４２】
プロジェクター１０１は、上述したプロジェクター１００と同様の構成であるが、情報生成部１２１に含まれる移動情報生成部１２５が投写レンズの移動量を示す移動情報を生成し、判定部１３１が当該移動量に基づく判定を行い、調整部１４１がレンズシフト部１９２のブレーキ制御を行う点でプロジェクター１００の構成と相違している。
【００４３】
次に、プロジェクター１０１におけるレンズシフト制御手順について説明する。図５は、第２の実施例におけるレンズシフト制御手順を示すフローチャートである。
【００４４】
投写レンズの位置を調整する場合、検出部１２２は、投写レンズの現在位置を検出し、調整部１４１は、設定に応じた目標位置を示すレンズ位置データ１５２に基づき、現在位置から目標位置へ向け、レンズシフト部１９２に投写レンズの移動を開始させる（ステップＳ１１）。
【００４５】
移動情報生成部１２５は、検出部１２２によって検出される投写レンズの現在位置に基づき、当該移動の方向と同一方向への１単位（例えば、駆動電圧の１パルス、１つ分の移動操作単位等）分の駆動に対する投写レンズの移動量を示す第１の移動情報を生成する（ステップＳ１２）。
【００４６】
また、調整部１４１は、一時的に本来の移動方向とは逆の方向にも投写レンズを移動させる。移動情報生成部１２５は、検出部１２２によって検出される投写レンズの現在位置に基づき、当該逆方向への１単位分の駆動に対する投写レンズの移動量を示す第２の移動情報を生成する（ステップＳ１３）。なお、上記逆方向への移動は、投写レンズの移動の開始時であってもよいし、投写レンズの移動中であってもよい。
【００４７】
判定部１３１は、第１の移動情報と第２の移動情報に基づき、同一方向への移動量が逆方向への移動量未満であるかどうかを判定する（ステップＳ１４）。
【００４８】
同一方向への移動量が逆方向への移動量未満である場合、移動方向は移動量が少ない方向であるため、判定部１３１は、投写レンズの移動方向が反重力方向であると決定する（ステップＳ１５）。
【００４９】
投写レンズの移動方向が反重力方向である場合、調整部１４１は、投写レンズの最初の現在位置から目標位置までの距離に応じた所定タイミングで投写レンズの駆動を終了し、当該タイミングでブレーキ制御を開始する（ブレーキをかける）ようにレンズシフト部１９２を制御する（ステップＳ１６）。
【００５０】
一方、同一方向への移動量が逆方向への移動量以上である場合、移動方向は移動量が多い方向であるため、判定部１３１は、投写レンズの移動方向が重力方向であると決定する（ステップＳ１７）。
【００５１】
投写レンズの移動方向が重力方向である場合、調整部１４１は、投写レンズの最初の現在位置から目標位置までの距離に応じた所定タイミングよりも早いタイミングで投写レンズの駆動を終了し、当該タイミングでブレーキ制御を開始するようにレンズシフト部１９２を制御する（ステップＳ１８）。
【００５２】
以上のように、本実施例によっても、プロジェクター１０１は、第１の実施例と同様の作用効果を奏する。
【００５３】
また、本実施例によれば、プロジェクター１０１は、投写レンズの移動量を検出することにより、投写レンズが重力方向に移動しているかどうかを判定することができるため、投写レンズの移動方向に応じてレンズシフト部の駆動を適切に調整することができる。
【００５４】
（その他の実施例）
なお、本発明の適用は上述した実施例に限定されず、種々の変形が可能である。例えば、第１の実施例における判定部１３０は、第２の実施例と同様に、同一方向の移動速度と逆方向への移動速度を比較することによって移動方向を決定してもよい。また、例えば、第２の実施例における判定部１３１は、第１の実施例と同様に、移動方向における移動量を所定値と比較することによって移動方向を決定してもよい。
【００５５】
また、第２の実施例では、移動情報生成部１２５は、１単位の駆動操作に対する投写レンズの現在位置の変化に基づいて移動情報を生成したが、複数単位の駆動操作に対する投写レンズの現在位置の変化に基づいて移動情報を生成してもよい。
【００５６】
また、レンズ位置データ１５２で示される目標位置は、メーカーによって設定された初期値であってもよいし、ユーザーによって設定された値であってもよい。また、記憶部１５０には、ユーザーによる所望の設定ごとに投写レンズのフォーカス状態、ズーム状態、レンズシフト状態等が記憶され、プロジェクター１００、１０１は、当該所望の設定が復元される際に上述したレンズシフト制御等を行ってもよい。
【００５７】
また、プロジェクター１００、１０１の有するコンピューターは、情報記憶媒体に記憶されたプログラムを読み取って判定部１３０、１３１等として機能してもよい。このような情報記憶媒体としては、例えば、ＣＤ−ＲＯＭ、ＤＶＤ−ＲＯＭ、ＲＯＭ、ＲＡＭ、ＨＤＤ等を適用できる。
【００５８】
また、プロジェクター１００、１０１は、液晶プロジェクター（透過型、ＬＣＯＳ等の反射型）に限定されず、例えば、デジタルマイクロミラーデバイスを用いたプロジェクター等であってもよい。また、プロジェクター１００、１０１の機能を複数の装置（例えば、ＰＣとプロジェクター等）に分散してもよい。
【符号の説明】
【００５９】
１００、１０１  プロジェクター、１１０  受付部、１２０、１２１  情報生成部、１２２  検出部、１２４、１２５  移動情報生成部、１３０、１３１  判定部、１４０、１４１  調整部、１５０  記憶部、１５２  レンズ位置データ、１６０  画像入力部、１７０  画像処理部、１９０  投写部、１９２  レンズシフト部
【図１】
2011145583.tif 000003
【図２】
2011145583.tif 000004
【図３】
2011145583.tif 000005
【図４】
2011145583.tif 000006
【図５】
2011145583.tif 000007